(57)【要約】【課題】ホッチキスの構造の提供。【解決手段】ホッチキスの構造は、一底台、一支持台、一掛合体及び一押圧腕を含む。そのうち、支持台は針を納置し、且つ底台の底フレームの第一通孔端に枢設する。掛合体は支持台に嵌合し、底台の底フレームの第三通孔端に相互に枢設し、凸縁を具えた外向きの支持板が伸び、更に前端は針押出片が結合される。この押圧腕は、支持台に嵌合し、底台の底フレームの第二通孔と相互に枢設し、更に結合槽を具えた結合板が伸び、それは掛合体の支持板の凸縁と相互に滑動掛合する。使用者が押圧腕を押し、押圧腕が枢設回転すると、押圧腕と掛合体が底台の底フレーム上でモーメント伝達転換し、結合板は軽々と掛合体を枢設回転させ、掛合体はゆっくりとした、且つ最大の力を発し、前端の針押出片から針を強力に出し、紙が装丁される。【選択図】図１
2008194780.tif 000002
【特許請求の範囲】
【請求項１】
一底台、一支持台、一掛合体及び一押圧腕から構成されたホッチキスの構造において、そのうち、
針を納置し、底台の底フレームの第一通孔端に枢設し、中央には針レールを具え、レール内には伸縮バネ及び針押出台によって押された針を設置し、針レール前端の底部には針出口が開設され、別に支持台と底フレームの間に支持作動する弾性体を納置する支持台と、支持台に嵌合し、底台の底フレームの第三通孔端に相互に枢設し、凸縁を具えた外向きの支持板が伸びる掛合体と、
支持台に嵌合し、底台の底フレームの第二通孔に相互に枢設し、結合槽を具えた結合板が伸び、掛合体の支持板の凸縁と相互に滑動して嵌合する押圧腕から構成され、
押圧腕を押し、押圧腕が枢設回転すると、押圧腕と掛合体によって底台の底フレーム上のモーメント伝達が転換し、押圧腕の力点から、押圧腕と底フレームの第二通孔枢設端までの行程及び、掛合体と底フレーム第三通孔枢設端から支持板凸縁間の行程乗積は、押圧腕と底フレームの第二通孔枢設端から支持板凸縁の間の行程及び、掛合体と底フレーム第三通孔枢設端から掛合体の作用点の間の行程乗積より大きい時、結合板は掛合体を簡単に枢設回転させ、掛合体が緩やかで且つ最大の押止力を生み、前端の針押出片から針を協力に出し、力を掛けずに押し、操作が簡単で実用的であることを特徴とするホッチキスの構造。
【請求項２】
請求項１記載のホッチキスの構造において、前記底台は、長方形平板状の台体で、その一端には一Ｕ字型の上向き開口の底フレームが枢設され、そのフレーム体開口端の適する側縁上には第一、第二、第三通孔が順に設置され、別端には針受板を結合することを特徴とするホッチキスの構造。
【請求項３】
請求項１記載のホッチキスの構造において、前記支持台は、前端上方に掛合凸を具え、針押出片の差込槽と掛合納置することを特徴とするホッチキスの構造。
【請求項４】
請求項１記載のホッチキスの構造において、前記掛合体は、下向きコの字型の嵌合押圧部片体で、支持台の上方に位置し、二側板末端には対称の支持板が伸び、別に前端には針押出片を結合し、嵌合押圧部と支持板の間に対応する穿孔を設置し、且つ支持板の末端側辺には各々外向きに対応する凸縁を具え、穿孔は栓体で底台の底フレームの第三通孔に枢設し、別に掛合体と支持台の間には上で支える弾性体を納置することを特徴とするホッチキスの構造。
【請求項５】
請求項１記載のホッチキスの構造において、前記押圧腕は、掛合体の上方に位置し、それは下向きコの字型の押圧部片体で、その二側板末端は対称な結合板が伸び、その押圧部と結合板の間に対応する結合孔を設置し、且つ結合板の末端には結合槽が形成され、その結合孔は栓体で底台底フレームの第二通孔に枢設し、且つ掛合体に支持板の凸縁はちょうど結合槽内で滑動することを特徴とするホッチキスの構造。
【請求項６】
請求項４もしくは請求項５記載のホッチキスの構造において、前記支持板と底台の底フレームを枢設する栓体は、突出した掛合体二側が伸び、別に押圧腕二側板の下方の適する箇所には切断槽が形成され、押圧腕の切断槽が定位栓上で停止することを特徴とするホッチキスの構造。
【発明の詳細な説明】
【技術分野】
【０００１】
本発明は、ホッチキスの構造に関するもので、特に力を余計にかけずに押圧装丁するホッチキスで、押圧腕と掛合体に依る底台の底フレーム上でのモーメント伝達転換により、掛合した掛合体が緩やかで最大の押圧力を発し、針押出片によって支持台内の針を強力に出し、省力押圧と簡易操作を達成する実用的なものである。
【背景技術】
【０００２】
一般に文書を整理する場合、ホッチキスで紙を止め合わせ、文書が散らばらないようにして整理、保存する。
図６に示すのは、公知のホッチキス６０の構造であり、底台６１、支持台６２と押圧腕６３から構成される。この押圧腕６３と支持台６２の一端は底台６１一側面に枢設する。そのうち支持台６２内には定位連接棒６４を差し込んで設置し、針押出板６５及び伸縮するバネ６６をその中に設置する。バネ６６の一端は針押出板６５底部の仕切凸で止めることにより、針押出板６５に針を押す押圧力が具わる。また押圧腕６３内に設置した掛合片６３１上には牽引片６８を設置し、且つ牽引片６８の別端と針押出板６５末端の掛着片６５１と相互に掛合し、押圧腕６３で掛合片６３１を連動して起き上がらせた時、この牽引片６８は支持台６２に於いて針押出板６５を後方へ引っ張って滑動する。針６７を支持台６２槽内に置くと、押圧腕６３が枢設回転して下へ押圧し、バネ６６の弾力により針押出板６５が針６７を前に向けて押し、押圧腕６３に力を加えて掛合片６３１前端に設置した針押出片６３２を押して針６７を押し出し、その針６７は底台６１前端の針受板６１１で湾曲結合し、紙を止める。
【発明の開示】
【発明が解決しようとする課題】
【０００３】
ホッチキスの押圧腕が人の手で直接下方向へ押圧する力に依り、その押圧力の大きさが紙の抵抗力より大きい場合に、針が紙に刺さって装丁できるのであるが、人の力に依る押圧装丁は使用者に負担をかけ、便利性に欠く点である。
【０００４】
本発明は、一底台、一支持台、一掛合体及び一押圧腕から構成される。そのうち、支持台は一長方形槽で、底台の底フレームの第一通孔箇所に枢設し、内部には伸縮バネ及び針押出台によって作動する針を具える。掛合体は下向き「コ」の字型の片体で、その中段の適する箇所には底台の底フレーム前端の第三通孔に枢設し、凸縁を具えた外向きの支持板が伸び、且つ前端には針押出片を結合する。押圧腕も同じく下向きの「コ」の字型片体で、その中段の適する箇所には底台の底フレーム半ばの第二通孔箇所に枢設し、押圧腕末端の結合板にはそれぞれ結合槽を設置し、そこに掛合体末端の支持板の凸縁を相互に掛合して滑動させることを最も主要な特徴とする。
【０００５】
上述の構成により、使用者が押圧腕を押した時、掛合体と支持台を伴って枢設回転する。そのうち、押圧腕の前端の押圧部の力点から底フレームの枢設点までの距離は、その枢設点から掛合体凸縁の距離より大きく、且つその掛合体の凸縁から、掛合体とその底フレームの枢設点までの距離は、その枢設点から掛合体前端の嵌合押圧部の作用点距離より大きい。これらによって、押圧腕は簡単、且つ少しの力で掛合体を枢設回転して作動させ、掛合体前端に緩やかで最大の押圧力を生み出し、針押出片から針を強力に出し、力をかけることなく押圧し、且つ簡単な操作で実用性を具える。
【課題を解決するための手段】
【０００６】
請求項１の発明は、一底台、一支持台、一掛合体及び一押圧腕から構成されたホッチキスの構造において、そのうち、
針を納置し、底台の底フレームの第一通孔端に枢設し、中央には針レールを具え、レール内には伸縮バネ及び針押出台によって押された針を設置し、針レール前端の底部には針出口が開設され、別に支持台と底フレームの間に支持作動する弾性体を納置する支持台と、支持台に嵌合し、底台の底フレームの第三通孔端に相互に枢設し、凸縁を具えた外向きの支持板が伸びる掛合体と、
支持台に嵌合し、底台の底フレームの第二通孔に相互に枢設し、結合槽を具えた結合板が伸び、掛合体の支持板の凸縁と相互に滑動して嵌合する押圧腕から構成され、
押圧腕を押し、押圧腕が枢設回転すると、押圧腕と掛合体によって底台の底フレーム上のモーメント伝達が転換し、押圧腕の力点から、押圧腕と底フレームの第二通孔枢設端までの行程及び、掛合体と底フレーム第三通孔枢設端から支持板凸縁間の行程乗積は、押圧腕と底フレームの第二通孔枢設端から支持板凸縁の間の行程及び、掛合体と底フレーム第三通孔枢設端から掛合体の作用点の間の行程乗積より大きい時、結合板は掛合体を簡単に枢設回転させ、掛合体が緩やかで且つ最大の押止力を生み、前端の針押出片から針を協力に出し、力を掛けずに押し、操作が簡単で実用的であることを特徴とするホッチキスの構造としている。
請求項２の発明は、請求項１記載のホッチキスの構造において、前記底台は、長方形平板状の台体で、その一端には一Ｕ字型の上向き開口の底フレームが枢設され、そのフレーム体開口端の適する側縁上には第一、第二、第三通孔が順に設置され、別端には針受板を結合することを特徴とするホッチキスの構造としている。
請求項３の発明は、請求項１記載のホッチキスの構造において、前記支持台は、前端上方に掛合凸を具え、針押出片の差込槽と掛合納置することを特徴とするホッチキスの構造としている。
請求項４の発明は、請求項１記載のホッチキスの構造において、前記掛合体は、下向きコの字型の嵌合押圧部片体で、支持台の上方に位置し、二側板末端には対称の支持板が伸び、別に前端には針押出片を結合し、嵌合押圧部と支持板の間に対応する穿孔を設置し、且つ支持板の末端側辺には各々外向きに対応する凸縁を具え、穿孔は栓体で底台の底フレームの第三通孔に枢設し、別に掛合体と支持台の間には上で支える弾性体を納置することを特徴とするホッチキスの構造としている。
請求項５の発明は、請求項１記載のホッチキスの構造において、前記押圧腕は、掛合体の上方に位置し、それは下向きコの字型の押圧部片体で、その二側板末端は対称な結合板が伸び、その押圧部と結合板の間に対応する結合孔を設置し、且つ結合板の末端には結合槽が形成され、その結合孔は栓体で底台底フレームの第二通孔に枢設し、且つ掛合体に支持板の凸縁はちょうど結合槽内で滑動することを特徴とするホッチキスの構造としている。
請求項６の発明は、請求項４もしくは請求項５記載のホッチキスの構造において、前記支持板と底台の底フレームを枢設する栓体は、突出した掛合体二側が伸び、別に押圧腕二側板の下方の適する箇所には切断槽が形成され、押圧腕の切断槽が定位栓上で停止することを特徴とするホッチキスの構造としている。
【発明の効果】
【０００７】
本発明はホッチキスの押圧腕が下方向へ作動する時、部品のモーメント伝達転換により、掛合された掛合体が緩やかで最大の押圧力を生み出し、針押出片によって針を出し、紙を装丁する。ホッチキスは省力押圧設計で、使用者がスムーズに押圧腕を下へ押し、強い力を必要とせずに、軽々と装丁作業を行い、操作が簡易である。
【発明を実施するための最良の形態】
【０００８】
図１〜図３に示すのは、本発明のホッチキスの構造表示図であり、底台１０、支持台２０、掛合体３０、押圧腕４０を含む。
そのうち、底台１０は、長方形平板状の台座で、その一端はＵ字型上向き開口の底フレーム１１を枢設し、そのフレーム体開口端の適する側縁上には対応する第一、第二、第三通孔１１１、１１２、１１３が順に設置され、別端には針受板１２が設置される。
支持台２０は、全体が細長形状槽で、その末端は固定栓２１で底台１０の底フレーム１１の第一通孔１１１に枢設される。支持台２０中央に針レール２２を具え、そのレール内には伸縮バネ２３及び針押出台２４を設置して針２５を押す。また支持台２０前端上方に掛合凸２６が成形され、且つ針レール２２前端の底部には針出口２７を設置し、別に支持台２０と底フレーム１１の間には最上部で支える弾性体２８を納置する。
【０００９】
掛合体３０は、支持台２０の上方に位置し、下向き「コ」の字型の嵌合押圧部３１を形成する。更に二側板末端は水平に一対の対称の支持板３２が伸びる。別に前端は針押出片３３を結合し、嵌合押圧部３１と支持板３２の間には対応する穿孔３４を設置し、且つ支持板３２の末端側辺には各々外向きに対応する凸縁３５を具える。この穿孔３４を定位栓３６で底台１０の底フレーム１１の第三通孔１１３と枢設し、枢設点“ｄ”を形成し、且つ定位栓３６が掛合体３０両側面から突出し、別に掛合体３０と支持台２０の間には最上部で支える弾性体３７を納置し、更に針押出片３３の差込槽３３１に掛合凸２６を入れて掛合し、支持台の針出口２７上方の針で対応作動する。
【００１０】
押圧腕４０は、掛合体３０の上方に位置し、下向き「コ」の字型の押圧部４１を有し、その二側板下方の適する箇所には切断槽４２を形成する。更に二側板末端は水平に一対の対称な結合板４３が伸び、この押圧部４１と結合板４３の間には対応する結合孔４４が設置される。更にその結合孔４４は結合栓４６によって底台１０底フレーム１１の第二通孔１１２に枢設され、枢設点“ｂ”を形成する。更に掛合体３０の支持板３２末端の凸縁３５は結合槽４５内で滑動し、相対して枢設点“ｃ”を形成する。
【００１１】
以上は本発明の各部品の構造で、上述の部品を順に組み立てる。位置と相互の連接関係は、図４のＡ、図５のＢの実施動作表示図に示すとおり、装丁したい紙５０を底台１０の針受板１２と支持台２０の針出口２７の間に差し込む。使用者が押圧腕４０の押圧部４１の力点“ａ”を下向きに押圧すると、押圧腕４０は底フレーム１１の第二通孔１１２を枢設点“ｂ”として回転し（力点“ａ”から支点“ｂ”までの行程を“ｗ”とする）、押圧腕４０末端の結合槽４５はちょうど掛合体３０末端の凸縁３５と相対して滑動し、且つ同時に枢設点“ｃ”の凸縁３５によって作動し(枢設点“ｂ”から枢設点“ｃ”までの行程を“ｘ”とする)、掛合体３０を枢設した第三通孔を枢設点“ｄ”として回転し、掛合体３０の針押出片３３を下向きに移動する。掛合体３０は弾性体３７によって支持台２０を、底フレーム１１の第一通孔１１１を枢設回転の中心として下向きに回転作動させる。更に支持台２０の針出口２７が紙５０上で停止し、停転を停止する。続けて押圧腕４０の押圧部４１の力点“ａ”に力をかけると、この押圧腕４０の結合板４３の結合槽４５は掛合体３０の凸縁３５を動かし、掛合体３０を定位栓３６設置の第三通孔１１３を枢設点“ｄ”として回転させる（枢設点“ｃ”から枢設点“ｄ”の行程を“Ｙ”とする）。またこの枢設点“ｄ”から掛合体３０の針押出片３３の枢設点“ｃ”までの行程を“Ｚ”とする。“Ｗ”、“Ｙ”の乗積が、“Ｘ”、“Ｚ”の乗積より大きい時、押圧腕４０は簡単に力をかけずに掛合体３０を動かし、掛合体３０前端にゆっくりとした、最大の押圧力を生み出す。更に針押出片３３で針２５を針出口２７から押し出し、押圧腕４０の切断槽４２が定位栓３６上で止め、紙の装丁作業を完成させ、ホッチキスに省力押圧機能を具え、操作は簡易で実用的である。装丁完了後、使用者は手を押圧腕４０の押圧部４１から離し、支持台２０と掛合体３０の間の弾性体３７を回復させることにより、掛合体が元の位置に戻り、掛合体３０の回復過程において、支持板３２の凸縁３５が形成する位置移動量が結合槽４５内で同時に連動する押圧腕６３を回復定位させる。更に弾性体２８の弾力回復が支持台２０を元の位置に回復させる。
【００１２】
上述のとおり、本発明のホッチキスの構造は、押圧腕と掛合体底台の底フレームのモーメントの伝達を転換することにより、掛合した掛合体を作動させてゆっくり、且つ最大の押圧力を生み出し、針押出片で支持台内の針を強力な力で出すことにより、省力化した効果と簡易な操作を得る。
【図面の簡単な説明】
【００１３】
【図１】本発明ホッチキスの立体組立外観表示図である。
【図２】本発明ホッチキスの立体分解表示図である。
【図３】本発明のホッチキスの局部断面表示図である。
【図４】本発明のホッチキスの動作表示図である。
【図５】本発明のホッチキスの動作表示図である。
【図６】公知ホッチキスの構造表示図である。
【符号の説明】
【００１４】
１０              底台
１１        底フレーム
１１１        第一通孔
１１２        第二通孔
１１３        第三通孔
１２        針受板
２０        支持台
２１        固定栓
２２        針レール
２３        伸縮バネ
２４        針押出台
２５        針
２６        掛合凸
２７        針出口
２８        弾性体
３０        掛合体
３１        嵌合押圧部
３２        支持板
３３        針押出片
３３１      差込槽
３４        穿孔
３５        凸縁
３６        定位栓
３７        弾性体
４０        押圧腕
４１        押圧部
４２        切断槽
４３        結合板
４４        結合孔
４５        結合槽
４６        結合栓
５０        紙
６０        ホッチキス
６１        底台
６１１      針受板
６２        支持台
６３        押圧腕
６３１      掛合片
６３２      針押出片
６４        定位連接棒
６５        針押出板
６５１      掛着片
６６        バネ
６７        針
６８        牽引片
【図１】
2008194780.tif 000003
【図２】
2008194780.tif 000004
【図３】
2008194780.tif 000005
【図４】
2008194780.tif 000006
【図５】
2008194780.tif 000007
【図６】
2008194780.tif 000008